(57)【要約】  【課題】冷蔵庫の組み立ておよび冷却方式に関し、簡単な冷却器の組み立て方法と冷却効率の向上を図る。  【解決手段】冷却パイプ１９を一体に備えた平板状の冷却プレート１８で構成された冷蔵室蒸発器１７と冷蔵室蒸発器１７を覆う冷気ダクト１４と、冷却ファン１５と冷蔵室蒸発器１７の下方に露受皿２２を備え、冷蔵室蒸発器の前後を風路とすることにより、冷却面積の拡大を図る。また、露受皿２２には後壁周縁にフランジ形状部２４を設け、内箱１の凹形状部２５に挿入し上下・左右の位置固定をし、露受皿２２前壁と冷気ダクト１４との間に断熱材ダクト２０を設置し、さらに断熱材ダクト２０とシール材２６を介して冷気循環風路を塞いだことにより、除霜水を確実に回収し、庫内の結露を防止することができる。【選択図】図１
2006078054.tif 000002
【特許請求の範囲】
【請求項１】
冷蔵室庫内を構成する内箱と内箱の後壁に沿って配置された冷却パイプを一体に備えた平板状の冷却プレートで構成された冷蔵室蒸発器と、冷蔵室蒸発器を覆う冷気ダクトと、冷却ファンと、前記冷蔵室蒸発器の下方に露受皿とを備え、前記冷蔵室蒸発器は内箱と冷気ダクトの間に設置し、冷蔵室蒸発器と内箱及び冷蔵室蒸発器と冷気ダクトとの間を冷気循環風路とし、冷蔵室を冷却するものにおいて、前記露受皿の後壁周縁にフランジ形状部を設け、前記内箱の凹形状部に前記フランジ形状部を挿入したことを特徴とする冷蔵庫。
【請求項２】
前記露受皿前壁と前記冷気ダクトの間に断熱材ダクトを設置していることを特徴とする請求項１に記載の冷蔵庫。
【請求項３】
前記露受皿前壁及び側壁と前記断熱材ダクトとの隙間にシール材を介して周縁をシールされ、前記冷気循環風路下端を本構成としたたことを特徴とする請求項１及び２に記載の冷蔵庫。
【請求項４】
前記露受皿側面と前記断熱材ダクトと側面嵌合部は、互いに傾斜した形状としたことを特徴とする請求項１から３に記載の冷蔵庫。
【発明の詳細な説明】
【技術分野】
【０００１】
本発明は冷蔵庫の冷蔵室を冷却プレートで冷却するものに関する。
【背景技術】
【０００２】
従来、この種の冷蔵庫は一般に圧縮機、絞り弁、蒸発器を順次に接続し、これに冷媒を循環させることで冷凍サイクルが構成されている。そして、この冷凍サイクルの蒸発器で冷蔵室内を冷却するのであるが、その冷却方式には、間冷式と直冷式がある。間冷式は、蒸発器で冷却された冷気を冷却ファンで冷蔵室に供給し、この冷気を循環させることによって冷蔵室内を冷却する方式である。
【０００３】
一方、直冷式は、蒸発器で冷蔵室の壁面を冷却し、冷却されたこの壁面からの輻射冷却で冷蔵室内を冷却する方式である。
【０００４】
図５は、特許文献１に記載された従来の冷蔵庫を示すものである。図５に示すように、内箱１と外箱２との間に断熱材３が充填された断熱箱体４によって構成された冷蔵庫５を示している。冷蔵庫５は上から冷蔵室６、野菜室７、第１冷凍室８、第２冷凍室９を有しており、前面は開閉扉１０となっている。
【０００５】
冷蔵室６と野菜室７は冷蔵室仕切板１１によってそれぞれ仕切られると共に、野菜室７と第１冷凍室８は断熱箱体４と同一構成の断熱仕切壁１２によって仕切られている。冷蔵室６と野菜室７の内箱１を構成する、上下、左右、後の壁面には、壁面に接して冷却パイプ１３（蒸発器）が配置され、庫内は冷却パイプ１３によって冷却される複数（天井、左右、後壁等）の冷却壁面を有する構成となっている。
【０００６】
また冷蔵室６の庫内側となる後壁の内箱１壁面には、冷気ダクト１４が配置され、冷気ダクト１４の上方には冷蔵用の冷却ファン１５が配置されている。
【０００７】
以上のように構成された冷蔵庫について、以下その動作を説明する。
【０００８】
庫内を構成する断熱箱体４を構成する内箱１と外箱２の間に配置された冷却器である冷却パイプ１３により内箱の複数の壁面を冷却するとともに、その冷却された冷気を冷却ファン１５により循環させている。
【特許文献１】特開２０００−２８２５７号公報
【発明の開示】
【発明が解決しようとする課題】
【０００９】
しかしながら、上記のような構成では、冷却された冷却パイプが内箱に熱伝導する際にロスが発生し、また、内箱表面に限った冷却面積しか確保できないため、庫内に温かい食品等の非常に大きな負荷が入ったときの冷却能力が不足するという課題を有していた。
【００１０】
また、直冷式の冷蔵庫においては、外気の湿度が高い場合に扉開閉によりこの高湿の空気が冷蔵室内に流入すると、壁面温度が低いため、流入した湿分が水滴となって冷蔵室壁面に付着（結露）してしまう。結露した水滴は外観を損ねるのみならず、滴下などによって冷蔵室内の食品に付着し、食品を傷めてしまう場合もあるため、結露水の回収が不可欠であるが、冷却能力不足を補うために内箱の複数面に配設した場合には、結露水の回収が困難になるという欠点があった。
【００１１】
本発明は上記課題を解決するもので、冷却パイプを一体に備えた平板状の冷却プレートで構成された冷蔵室蒸発器の前後を冷気循環風路とし、冷却パイプからの熱伝導する際のロスが発生しにくく、貯蔵室を効率よく冷却する構造を可能とし、冷却器に着霜・結露した水を確実に冷蔵庫庫外に排出可能な構造を有する冷蔵庫を提供することを目的とする。
【課題を解決するための手段】
【００１２】
上記従来の課題を解決するために、本発明の冷蔵庫は、冷蔵室庫内を構成する内箱と内箱の奥面に沿って配置された冷却パイプを一体に備えた平板状の冷却プレートで構成された冷蔵室蒸発器と冷蔵室蒸発器を覆う冷気ダクトと、冷却ファンと前記冷蔵室蒸発器の下方に露受皿を備え、前記露受皿は後壁周縁にフランジ形状部を設け、前記内箱の凹形状部に前記フランジ形状部を挿入し取付けることによって、簡単に貯蔵室内背面に配置することができる。また、冷蔵室蒸発器と内箱及び冷蔵室蒸発器と冷気ダクトとの間を冷気循環風路とし、送風ファンにより冷気を冷蔵室蒸発器の前面及び後面に直接接触させることにより、効率よく冷却することができる。
【発明の効果】
【００１３】
本発明の冷蔵庫は、冷蔵室蒸発器の前後を風路としたことにより、冷却面積の拡大及び冷気循環風量を増大させることができ、効率よく冷却することができる。
【００１４】
また、本発明の冷蔵庫は、露受皿の後壁周縁にフランジ形状部を設け、内箱の凹形状部に挿入し位置固定することにより、簡単に貯蔵室内背面に露受皿を配置することができる。
【発明を実施するための最良の形態】
【００１５】
請求項１に記載の発明は、冷蔵室庫内を構成する内箱と内箱の後壁に沿って配置された冷却パイプを一体に備えた平板状の冷却プレートで構成された冷蔵室蒸発器と冷蔵室蒸発器を覆う冷気ダクトと冷却ファンと前記冷蔵室蒸発器の下方に露受皿を備え、冷蔵室蒸発器と内箱及び冷蔵室蒸発器と冷気ダクトとの間を冷気循環風路とし、冷蔵室を冷却するものにおいて、前記露受皿の後壁周縁にフランジ形状部を設け、前記内箱の凹形状部に前記フランジ形状部を挿入位置固定したことにより、簡単に貯蔵室内背面に露受皿を配置することができ、送風ファンにより冷気を冷蔵室蒸発器の前面及び後面に直接接触させることにより、熱交換面積を拡大し、効率よく冷却することができる。
【００１６】
請求項２に記載の発明は、請求項１に記載の発明の冷蔵庫において、前記露受皿前壁と前記冷気ダクトの間に断熱材ダクトを設置していることにより、冷気ダクト前面の化粧板が循環冷気によって冷却された露受皿と接触し、熱伝導により冷やされて結露および着霜すること防止することができる。
【００１７】
請求項３に記載の発明は、請求項１及び２に記載の発明の冷蔵庫において、前記露受皿前壁及び側壁と前記断熱材ダクトとの隙間にシール材を介して周縁をシールされ、前記冷気循環風路下端を本構成としたことにより、冷気洩れによる前記化粧板の結露及び着霜を防止することができる。
【００１８】
請求項４に記載の発明は、請求項１から３に記載の冷蔵庫において、前記露受皿側面と前記断熱材ダクトとの側面嵌合部を、互いに傾斜した形状としたことにより、冷気ダクト取付け時の作業性を向上させ、側面嵌合部の均一なシール性を確保することができる。
【００１９】
以下、本発明の実施の形態について、図面を参照しながら説明する。なお、この実施の形態によってこの発明が限定されるものではない。
【００２０】
（実施の形態１）
図１は、本発明の実施の形態１における冷蔵庫の断面図である。図２は、本発明の実施の形態１における露受皿の全体及び拡大斜視図である。図３は、本発明の実施の形態１における冷蔵庫の要部拡大平面断面図である。図４は、本発明の実施の形態１における冷蔵室の要部拡大断面図である。
【００２１】
図１において、内箱１と外箱２との間に断熱材３が充填された断熱箱体４によって構成された冷蔵庫５を示している。冷蔵庫５は上から冷蔵室６、第１冷凍室８、野菜室７、第２冷凍室９を有しており前面は開閉扉１０となっている。冷蔵室６と第１冷凍室８及び野菜室６と第２冷凍室９は断熱箱体４と同一構成の断熱仕切壁１２及び１９によって仕切られている。
【００２２】
冷蔵室６の内箱１の後壁側に沿って冷蔵室蒸発器１７が配置され、冷蔵室蒸発器１７は平板状の冷却プレート１８に冷却パイプ１９が接する形で構成されている。また冷蔵室蒸発器１７を覆うように、庫内側に断熱材ダクト２０と化粧板２１で構成された冷気ダクト１４が配置され、冷蔵室蒸発器１７と化粧板２１、及び冷蔵室蒸発器１７と内箱１との間、すなわち冷蔵室蒸発器１７の前面と後面に空間を設け、冷気ダクト上方に設置した冷却ファン１５により、冷蔵室６から戻ってくる冷気を熱交換する冷気循環風路を有している。また、冷蔵室蒸発器の下方に露受皿２２が配置され、冷蔵室蒸発器１７の除霜水が回収される。露受皿２２には、排水管２３が連結されており、除霜水を庫外に排出する。
【００２３】
また、図２に示すように、露受皿２２の後壁周縁にはフランジ形状部２４が設けられている。また、図３及び４に示すように、露受皿２２の後壁周縁のフランジ形状部２４は内箱１の凹形状部２５に挿入される。また、露受皿２２と化粧板２１の間に断熱材ダクト２０を設置しており、断熱材ダクト２０と露受皿２２との隙間はシール材２６を介して周縁をシールしており、冷気循環風路下端を構成している。また、図４に示すように、断熱材ダクト２０と露受皿２２側面との嵌合部は、互いに傾斜した形状としている。
【００２４】
以上のように構成された冷蔵庫について、以下その動作、作用を説明する。
【００２５】
冷蔵室６においては、冷蔵室蒸発器１７の前面及び後面が冷却面となり、冷却ファン１５を運転することにより、冷蔵室蒸発器１７の前後を通過する際に熱交換が行われ、冷却された冷気を冷蔵室６庫内に循環することにより、冷蔵室６を冷却する。
【００２６】
また、冷蔵室蒸発器１７の除霜水は露受皿２２に落下し、排水管２３を通じて冷蔵庫外に排出される。
【００２７】
このように本実施の形態１においては、冷蔵室蒸発器１７の前後両面に冷気を通過させることから、冷蔵室蒸発器１７の前面及び後面の両面に冷気を通過させる冷気循環風路が確保でき、冷却面積の拡大及び冷気循環風量の増大が可能となる。
【００２８】
また、露受皿の後壁周縁にフランジ形状部２４を設け、内箱の凹形状部２５に挿入し左右・上下の位置固定することにより、簡単に貯蔵室内背面に露受皿を配置することができる。
【００２９】
また、循環冷気によって冷却された露受皿２２と化粧板２１が直接接触することのないように露受皿２２前壁には、断熱ダクトと接触するように構成し、さらに、冷気の流出をシール材２６を用いて遮断することにより、化粧板２１の結露及び着霜を防止することができる。
【００３０】
また、断熱材ダクト２０と露受皿２２側面との嵌合部は、互いに傾斜した形状としていることにより、冷蔵室６前面より冷気ダクト１４を組み立てる際の作業性を向上させ、さらに、シール材の２６変形や断裂を防止し、組立後の均一なシール性を確保することができる。
【産業上の利用可能性】
【００３１】
以上のように本発明にかかる冷蔵庫は、冷蔵室蒸発器の前面及び後面の両面に冷気を通過させる冷気循環風路確保でき、冷却面積の拡大及び冷気循環風量の増大が可能となり、冷蔵室蒸発器の除霜水を回収する露受皿を簡単に設置することも可能となるため、冷凍機器全般の冷却方式として利用できる。
【図面の簡単な説明】
【００３２】
【図１】本発明の実施の形態１における冷蔵庫の断面図
【図２】本発明の実施の形態１における露受皿の全体及び拡大斜視図
【図３】本発明の実施の形態１における冷蔵庫の要部拡大平面断面図
【図４】本発明の実施の形態１における冷蔵室の要部拡大断面図
【図５】従来の冷蔵庫の断面図
【符号の説明】
【００３３】
１    内箱
６    冷蔵室
１５  冷却ファン
１７  冷蔵室蒸発器
１８  冷却プレート
１９  冷却パイプ
２０  断熱材ダクト
２１  化粧板
２２  露受皿
２４  フランジ形状部
２５  凹形状部
２６  シール材
【図１】
2006078054.tif 000003
【図２】
2006078054.tif 000004
【図３】
2006078054.tif 000005
【図４】
2006078054.tif 000006
【図５】
2006078054.tif 000007